(57)【要約】      （修正有）【課題】上面が平らな基礎コンクリートを用いながら所定の傾斜角度のブロック擁壁を構築可能な擁壁用根石ブロックと滑り止め効果を有する擁壁用ブロックとを提供する。【解決手段】ブロック擁壁の最下段に位置する擁壁用根石ブロック６０ａ、６０ｂは、擁壁面３２を備えた前方構造部３４ａと、前方構造部と所定の間隔を取って設けられた背面構造部３４ｂと、前方構造部と背面構造部とを繋ぐ連結部３４ｃと、を有するとともに、底面が上面に対してブロック擁壁の擁壁面の角度θ傾けて形成され、側面視で背面構造部側が短く且つ上面側の２角が略直角の略直角台形形状を呈する。この角度θ傾いた擁壁用根石ブロックの上面に擁壁用ブロックを積み上げることで、簡易且つ低コストで、所定の傾斜角度のブロック擁壁を構築することができる。また、擁壁用ブロックは、上面もしくは下面の少なくとも一方が細かな凹凸を有する滑り止め面で構成される。【選択図】図１
0003201484.tif 000002
【実用新案登録請求の範囲】
【請求項１】
ブロック擁壁の最下段に位置する擁壁用根石ブロックであって、
擁壁面を備えた前方構造部と、前記前方構造部と所定の間隔を取って設けられた背面構造部と、前記前方構造部と背面構造部とを繋ぐ連結部と、を有するとともに、底面が上面に対してブロック擁壁の擁壁面の角度傾けて形成され、側面視で前記背面構造部側が短く且つ上面側の２角が略直角の略直角台形形状を呈することを特徴とする擁壁用根石ブロック。
【請求項２】
ブロック擁壁の最下段に位置する擁壁用根石ブロックであって、
長さの長い前側脚部と、前記前側脚部と所定の間隔を取って設けられ長さの短い背側脚部と、前記前側脚部と背側脚部とを繋ぐ連結部と、を有し、
上面がブロック擁壁の擁壁面の角度傾けて形成されることを特徴とする擁壁用根石ブロック。
【請求項３】
ブロック擁壁の最下段に位置し側面視で略長方形の擁壁用根石ブロックであって、
擁壁面を備えた前方構造部と、前記前方構造部と所定の間隔を取って設けられた背面構造部と、前記前方構造部と背面構造部とを繋ぐ連結部と、前記前方構造部に設けられた鉄筋挿入孔と、前記鉄筋挿入孔に挿入可能な鉄筋と、を有し、
前記鉄筋の突出量を調整することで上面の傾きを調整することを特徴とする擁壁用根石ブロック。
【請求項４】
前方構造部と背面構造部の側面が背面側に向けて狭まる斜面で構成されたことを特徴とする請求項１または請求項３に記載の擁壁用根石ブロック。
【請求項５】
前方構造部と背面構造部の側面が背面側に向かって広がる斜面で構成されたことを特徴とする請求項１または請求項３に記載の擁壁用根石ブロック。
【請求項６】
上面が細かな凹凸を有する滑り止め面で構成されることを特徴とする請求項１乃至請求項５のいずれかに記載の擁壁用根石ブロック。
【請求項７】
擁壁面を備えた前方構造部と、前記前方構造部と所定の間隔を取って設けられた背面構造部と、前記前方構造部と背面構造部とを繋ぐ連結部と、を有し、
前記前方構造部と背面構造部の側面が背面側に向けて狭まる斜面で構成された第１の擁壁用ブロックと、前記前方構造部と背面構造部の側面が背面側に向かって広がる斜面で構成された第２の擁壁用ブロックと、を横方向に交互に組み合わせるとともに上方向に積み上げて擁壁を構築する擁壁用ブロックにおいて、
上面もしくは下面の少なくとも一方が細かな凹凸を有する滑り止め面で構成されることを特徴とする擁壁用ブロック。
【考案の詳細な説明】
【技術分野】
【０００１】
本考案は、ブロック擁壁の最下段に位置する擁壁用根石ブロックと滑り止め効果を有する擁壁用ブロックに関するものである。
【背景技術】
【０００２】
宅地造成や道路設営、護岸等の目的で切土や盛土を行った法面に擁壁用ブロックを積み上げて擁壁を構築することが一般的に行われている。そして、このような擁壁用ブロックに関し、［特許文献１］には湾曲したブロック擁壁を滑らかに構築することが可能な積みブロックに関する発明が開示されている。この［特許文献１］に記載の発明は、擁壁用ブロックを構成する前方構造部と背面構造部の側面が背面側に向けて狭まる斜面で形成された一方の擁壁用ブロックと、背面側に向かって広がる斜面で形成された他方の擁壁用ブロックとで構成し、この一方の擁壁用ブロックと他方の擁壁用ブロックとを交互に組み合わせるとともに、双方の側面の接触状態を曲面に応じて変化させることで、湾曲したブロック擁壁を滑らかに構築することができる。
【先行技術文献】
【特許文献】
【０００３】
【特許文献１】特許第２８２０６２９号公報
【考案の概要】
【考案が解決しようとする課題】
【０００４】
しかしながら、［特許文献１］に記載の発明のような従来の擁壁用ブロックでブロック擁壁１０を構築する場合、図１１に示すように、上面がブロック擁壁１０の傾斜角度θに応じた斜めの基礎コンクリート５を敷設する必要があり、基礎コンクリート５を単純な型枠では形成できないという問題点がある。また、擁壁用ブロックを斜めに積載するため、擁壁用ブロックが滑り落ちる危険性が有る。
【０００５】
本考案は上記事情に鑑みてなされたものであり、上面が平らな基礎コンクリートを用いながら所定の傾斜角度のブロック擁壁を構築することが可能な擁壁用根石ブロックと滑り止め効果を有する擁壁用ブロックとを提供することを目的とする。
【課題を解決するための手段】
【０００６】
本考案は、
（１）ブロック擁壁１０の最下段に位置する擁壁用根石ブロックであって、
擁壁面３２を備えた前方構造部３４ａと、前記前方構造部３４ａと所定の間隔を取って設けられた背面構造部３４ｂと、前記前方構造部３４ａと背面構造部３４ｂとを繋ぐ連結部３４ｃと、を有するとともに、底面が上面に対してブロック擁壁１０の擁壁面の角度θ傾けて形成され、側面視で前記背面構造部３４ｂ側が短く且つ上面側の２角が略直角の略直角台形形状を呈することを特徴とする擁壁用根石ブロック６０ａ、６０ｂを提供することにより、上記課題を解決する。
（２）ブロック擁壁１０の最下段に位置する擁壁用根石ブロックであって、
長さの長い前側脚部４４ａと、前記前側脚部４４ａと所定の間隔を取って設けられ長さの短い背側脚部４４ｂと、前記前側脚部４４ａと背側脚部４４ｂとを繋ぐ連結部４４ｃと、を有し、
上面がブロック擁壁１０の擁壁面の角度θ傾けて形成されることを特徴とする擁壁用根石ブロック６２を提供することにより、上記課題を解決する。
（３）ブロック擁壁１０の最下段に位置し側面視で略長方形の擁壁用根石ブロックであって、
擁壁面３２を備えた前方構造部３４ａと、前記前方構造部３４ａと所定の間隔を取って設けられた背面構造部３４ｂと、前記前方構造部３４ａと背面構造部３４ｂとを繋ぐ連結部３４ｃと、前記前方構造部３４ａに設けられた鉄筋挿入孔４６と、前記鉄筋挿入孔４６に挿入可能な鉄筋４８と、を有し、
前記鉄筋４８の突出量を調整することで上面の傾きを調整することを特徴とする擁壁用根石ブロック６４ａ、６４ｂを提供することにより、上記課題を解決する。
（４）前方構造部３４ａと背面構造部３４ｂの側面が背面側に向けて狭まる斜面３６ａ、３６ｂで構成されたことを特徴とする上記（１）または（３）に記載の擁壁用根石ブロック６０ａ、６４ａを提供することにより、上記課題を解決する。
（５）前方構造部３４ａと背面構造部３４ｂの側面が背面側に向かって広がる斜面３８ａ、３８ｂで構成されたことを特徴とする上記（１）または（３）に記載の擁壁用根石ブロック６０ｂ、６４ｂを提供することにより、上記課題を解決する。
（６）上面が細かな凹凸を有する滑り止め面で構成されることを特徴とする上記（１）乃至（５）のいずれかに記載の擁壁用根石ブロック６０ａ、６０ｂ、６２、６４ａ、６４ｂを提供することにより、上記課題を解決する。
（７）擁壁面３２を備えた前方構造部３４ａと、前記前方構造部３４ａと所定の間隔を取って設けられた背面構造部３４ｂと、前記前方構造部３４ａと背面構造部３４ｂとを繋ぐ連結部３４ｃと、を有し、
前記前方構造部３４ａと背面構造部３４ｂの側面が背面側に向けて狭まる斜面３６ａ、３６ｂで構成された第１の擁壁用ブロック１４ａと、前記前方構造部３４ａと背面構造部３４ｂの側面が背面側に向かって広がる斜面３８ａ、３８ｂで構成された第２の擁壁用ブロック１４ｂと、を横方向に交互に組み合わせるとともに上方向に積み上げて擁壁を構築する擁壁用ブロックにおいて、
上面もしくは下面の少なくとも一方が細かな凹凸を有する滑り止め面で構成されることを特徴とする擁壁用ブロック１４ａ、１４ｂを提供することにより、上記課題を解決する。
【考案の効果】
【０００７】
本考案に係る擁壁用根石ブロックは、上面が平らな基礎コンクリートを用いながら、所定の傾斜角度のブロック擁壁を構築することができる。これにより、ブロック擁壁用の基礎コンクリートを簡易な方法で且つ低コストで構築することができる。また、本考案に係る擁壁用ブロックは、上面もしくは下面の少なくとも一方に滑り止め面を有するため、斜めに積載しても容易に崩れることが無い。
【図面の簡単な説明】
【０００８】
【図１】本考案に係る第１の擁壁用根石ブロックを示す図である。
【図２】本考案に係る第１の擁壁用根石ブロックの組み合わせ状態を示す模式図である。
【図３】本考案に係る第１の擁壁用根石ブロックの組み合わせ状態を示す模式図である。
【図４】本考案に係る擁壁用ブロックを示す図である。
【図５】本考案を用いたブロック擁壁を示す図である。
【図６】本考案に係る第１の擁壁用根石ブロックを用いたブロック擁壁の模式図である。
【図７】本考案に係る第２の擁壁用根石ブロックを示す図である。
【図８】本考案に係る第２の擁壁用根石ブロックを用いたブロック擁壁の模式図である。
【図９】本考案に係る第３の擁壁用根石ブロックを示す図である。
【図１０】本考案に係る第３の擁壁用根石ブロックの使用方法を説明する図である。
【図１１】従来のブロック擁壁の模式図である。
【考案を実施するための形態】
【０００９】
先ず、本考案に係る第１の擁壁用根石ブロック６０ａ、６０ｂの実施の形態を図１を用いて説明する。ここで、図１（ａ）、（ｂ）、（ｃ）は、本考案に係る第１の擁壁用根石ブロックの一方の擁壁用根石ブロック６０ａの前面図、底面図、側面図であり、図１（ｄ）、（ｅ）、（ｆ）は他方の擁壁用根石ブロック６０ｂの前面図、底面図、側面図である。
【００１０】
本考案に係る第１の擁壁用根石ブロック６０ａ、６０ｂは、擁壁面３２を備えた前方構造部３４ａと、この前方構造部３４ａと所定の間隔を取って設けられた背面構造部３４ｂと、これら前方構造部３４ａと背面構造部３４ｂとを繋ぐ連結部３４ｃと、を有している。また、第１の擁壁用根石ブロック６０ａ、６０ｂは、連結部３４ｃを柱状として前方構造部３４ａと背面構造部３４ｂとの間に空洞部４０が設けられ、さらに連結部３４ｃの側面に空洞部４０と繋がる連結孔４２を有している。そして、一方の擁壁用根石ブロック６０ａは前方構造部３４ａと背面構造部３４ｂの側面が背面側に向けて狭まる斜面３６ａ、３６ｂで構成され、また他方の擁壁用根石ブロック６０ｂは前方構造部３４ａと背面構造部３４ｂの側面が背面側に向けて広がる斜面３８ａ、３８ｂで構成されている。尚、斜面３６ａ、３６ｂと斜面３８ａ、３８ｂとは必須の構成要素ではなく、単純な平面で構成しても良い。この場合、擁壁用根石ブロック６０ａ、６０ｂを区別する必要はない。
【００１１】
また、本考案に係る第１の擁壁用根石ブロック６０ａ、６０ｂは、前方構造部３４ａ側が長く背面構造部３４ｂ側が短く形成され、底面が上面に対して所定の角度θ傾くように形成される。これにより、第１の擁壁用根石ブロック６０ａ、６０ｂの本体部は、図１（ｃ）、（ｆ）に示すように、側面視で背面構造部３４ｂ側が短く且つ上面側の２角が略直角の略直角台形形状を呈する。尚、この底面の傾きの角度θは構築するブロック擁壁１０の擁壁面の傾斜角度と略同等な角度であり、通常６０°〜７５°程度である。
【００１２】
また、本考案に係る第１の擁壁用根石ブロック６０ａ、６０ｂは一方の擁壁用根石ブロック６０ａと他方の擁壁用根石ブロック６０ｂとを横方向に交互に組み合わせてブロック擁壁１０の最下段を構築する。この際、図２（ａ）、（ｂ）に示すように、一方の擁壁用根石ブロック６０ａの斜面３６ａ、３６ｂと他方の擁壁用根石ブロック６０ｂの斜面３８ａ、３８ｂとの重なり位置を調節することにより、横方向の長さ調整を行うことができる。また、図３（ａ）に示すように、一方の擁壁用根石ブロック６０ａの斜面３６ａと他方の擁壁用根石ブロック６０ｂの斜面３８ａとの接触角を前面が凹となるように調節しながら配置することで、凹状に湾曲した最下段を構築することができる。反対に一方の擁壁用根石ブロック６０ａの斜面３６ａ、３６ｂと他方の擁壁用根石ブロック６０ｂの斜面３８ａ、３８ｂとの接触角を、図３（ｂ）に示すように前面が凸となるように調節することで、凸状に湾曲した最下段を構築することができる。
【００１３】
ここで、本考案に係る擁壁用ブロックを図４を用いて説明する。図４に示す本考案に係る擁壁用ブロック１４ａ、１４ｂは、第１の擁壁用根石ブロック６０ａ、６０ｂと同様、擁壁面３２を備えた前方構造部３４ａと、この前方構造部３４ａと所定の間隔を取って設けられた背面構造部３４ｂと、これら前方構造部３４ａと背面構造部３４ｂとを繋ぐ連結部３４ｃと、前方構造部３４ａと背面構造部３４ｂとの間に設けられた空洞部４０と、連結部３４ｃの側面に設けられ空洞部４０と繋がる連結孔４２と、を有している。そして、一方の第１の擁壁用ブロック１４ａは前方構造部３４ａと背面構造部３４ｂの側面が背面側に向けて狭まる斜面３６ａ、３６ｂで構成され、また他方の第２の擁壁用ブロック１４ｂは前方構造部３４ａと背面構造部３４ｂの側面が背面側に向けて広がる斜面３８ａ、３８ｂで構成されている。そして、擁壁用ブロック１４ａ、１４ｂの上面もしくは下面、即ち前方構造部３４ａ、背面構造部３４ｂ、連結部３４ｃの上面もしくは下面の少なくとも一方は細かな凹凸を有する滑り止め面で構成される。これにより、本考案に係る擁壁用ブロック１４ａ、１４ｂは積載時の摩擦抵抗が増大し、斜めに積載した状態でも滑りにくく安定してブロック擁壁１０を構築することができる。尚、この滑り止め面の形成は擁壁用ブロック１４ａ、１４ｂの上面もしくは下面を形成する型枠に、例えば細かな凹凸を有する梨地模様の鋼板等を用いて行うことが好ましい。無論、上面及び下面を形成する型枠の双方に細かな凹凸を有する鋼板等を用いて擁壁用ブロック１４ａ、１４ｂを形成し、擁壁用ブロック１４ａ、１４ｂの上面及び下面の双方を滑り止め面で構成しても良い。
【００１４】
そして、図５に示すように、交互に配置された擁壁用根石ブロック６０ａ、６０ｂの上に擁壁用ブロック１４ａ、１４ｂをこれも交互に組み合わせながら所定の段数積み上げることでブロック擁壁１０を構築する。尚、図５においては、擁壁用根石ブロック６０ｂ、擁壁用ブロック１４ｂを斜線で示す。この際、擁壁用ブロック１４ａの斜面３６ａ、３６ｂと擁壁用ブロック１４ｂの斜面３８ａ、３８ｂとの接触状態を構築するブロック擁壁１０に応じて変化させることで、擁壁用根石ブロック６０ａ、６０ｂと同様に、横方向の長さ調整や曲面の形成を行うことができる。
【００１５】
そして、本考案に係る第１の擁壁用根石ブロック６０ａ、６０ｂは前述のように底面が構築するブロック擁壁１０の傾斜角度θ分傾けて形成されるため、基礎破石３上に打設された上面が平らな基礎コンクリート５’に配置した場合、図６に示すように、上面が角度θ傾く。そして、この角度θ傾いた擁壁用根石ブロック６０ａ、６０ｂの上に擁壁用ブロック１４ａ、１４ｂを積み上げることで、所定の角度θ傾いた状態で擁壁用ブロック１４ａ、１４ｂを積載することができる。また、積載された擁壁用ブロック１４ａ、１４ｂの全ての空洞部４０と擁壁用根石ブロック６０ａ、６０ｂの全ての空洞部４０とは連通し、この空洞部４０にコンクリートを流し込み固化することで擁壁用根石ブロック６０ａ、６０ｂと擁壁用ブロック１４ａ、１４ｂと基礎コンクリート５’とを載積状態で一体化することができる。そして、積み上げられた擁壁用ブロックの裏面側に裏込材７を充填し、天端コンクリート９を敷設することで傾斜角度θのブロック擁壁１０が構築される。尚、これらのことは後述の第２の擁壁用根石ブロック６２、第３の擁壁用根石ブロック６４ａ、６４ｂにおいても同様である。
【００１６】
次に、本考案に係る第２の擁壁用根石ブロック６２の構成を図７を用いて説明する。ここで、図７（ａ）、（ｅ）は本考案に係る第２の擁壁用根石ブロック６２の背面図であり、図７（ｂ）、（ｆ）は上面図であり、図７（ｃ）、（ｇ）は側面図であり、図７（ｅ）、（ｈ）はＡ−Ａ視断面図である。尚、図７（ａ）、（ｂ）、（ｃ）、（ｄ）は幅寸法の短い１穴の擁壁用根石ブロック６２を示す図であり、図７（ｅ）、（ｆ）、（ｇ）、（ｈ）は幅寸法の長い２穴の擁壁用根石ブロック６２を示す図である。尚、図７に示す擁壁用根石ブロック６２は一例であり、擁壁用根石ブロック６２の各部の寸法、形状等は、積載する擁壁用ブロックの寸法や形状、構築するブロック擁壁１０の形状や傾斜角等により適宜選択される。
【００１７】
図７に示す本考案に係る第２の擁壁用根石ブロック６２は、前面に位置する前側脚部４４ａと、この前側脚部４４ａと所定の間隔を取って背面側に位置する背側脚部４４ｂと、これら前側脚部４４ａと背側脚部４４ｂとを繋ぐ連結部４４ｃと、前側脚部４４ａと背側脚部４４ｂとの間に位置し上下左右が開口した空洞部４０と、を有している。また、擁壁用根石ブロック６２の上面は構築するブロック擁壁１０の傾斜角度と略同等な角度θ傾くように、前側脚部４４ａは長く、背側脚部４４ｂは短く形成される。
【００１８】
そして、本考案に係る第２の擁壁用根石ブロック６２は図８に示すように基礎破石３上に打設された上面が平らな基礎コンクリート５’上に載置されコンクリート等で固定されることによりブロック擁壁１０の基礎の一部となる。そして、この擁壁用根石ブロック６２の上面に擁壁用ブロック１４ａ、１４ｂを所定の段数積み上げることでブロック擁壁１０を構築する。この際、第２の擁壁用根石ブロック６２の上面はブロック擁壁１０の傾斜角度θ傾いているため、この角度θ傾いた上面に擁壁用ブロック１４ａ、１４ｂを積み上げることで、上面が平らな基礎コンクリート５’を用いながら擁壁面が所定の傾斜角度のブロック擁壁１０を構築することができる。
【００１９】
次に、本考案に係る第３の擁壁用根石ブロック６４ａ、６４ｂの構成を図９を用いて説明する。ここで、図９（ａ）、（ｂ）、（ｃ）は、本考案に係る第３の擁壁用根石ブロックの一方の擁壁用根石ブロック６４ａの前面図、底面図、側面図であり、図９（ｄ）、（ｅ）、（ｆ）は他方の擁壁用根石ブロック６４ｂの前面図、底面図、側面図である。
【００２０】
図９に示す本考案に係る第３の擁壁用根石ブロック６４ａ、６４ｂは、第１の擁壁用根石ブロック６０ａ、６０ｂと同様に、擁壁面３２を備えた前方構造部３４ａと、この前方構造部３４ａと所定の間隔を取って設けられた背面構造部３４ｂと、これら前方構造部３４ａと背面構造部３４ｂとを繋ぐ連結部３４ｃと、前方構造部３４ａと背面構造部３４ｂとの間に設けられた空洞部４０と、連結部３４ｃの側面に設けられ空洞部４０と繋がる連結孔４２と、を有している。そして、第３の擁壁用根石ブロック６４ａ、６４ｂは、図９（ｃ）、（ｆ）の側面図に示すように、側面視で略長方形を呈する。また、一方の擁壁用根石ブロック６４ａは前方構造部３４ａと背面構造部３４ｂの側面が背面側に向けて狭まる斜面３６ａ、３６ｂで構成され、他方の擁壁用根石ブロック６４ｂは前方構造部３４ａと背面構造部３４ｂの側面が背面側に向けて広がる斜面３８ａ、３８ｂで構成されている。尚、前方構造部３４ａの斜面３６ａ、３６ｂと背面構造部３４ｂの斜面３８ａ、３８ｂとは必須の構成要素ではなく、単純な平面で構成しても良い。この場合、擁壁用根石ブロック６４ａ、６４ｂを区別する必要はない。
【００２１】
また、第３の擁壁用根石ブロック６４ａ、６４ｂは、前方構造部３４ａの底面に鉄筋挿入孔４６を備えている。この鉄筋挿入孔４６は一般的な径の鉄筋４８が挿入可能であれば特に限定は無いが、通常の擁壁用ブロックが具備し、擁壁用ブロックを吊上げる際に使用する吊孔を兼用することが特に好ましい。この場合、吊孔を備えた従来の擁壁用ブロックを第３の擁壁用根石ブロック６４ａ、６４ｂとして転用することができる。また、本考案に係る擁壁用ブロック１４ａ、１４ｂが吊孔や鉄筋挿入孔４６を備えていれば、これを第３の擁壁用根石ブロック６４ａ、６４ｂとして転用することもできる。
【００２２】
次に、本考案に係る第３の擁壁用根石ブロック６４ａ、６４ｂの使用方法を図１０を用いて説明する。先ず図１０（ａ）に示すように、基礎破石３上に周知の方法で上面が平らな基礎コンクリート５’を打設する。次に、下面から鉄筋４８が所定の長さ突出するように擁壁用根石ブロック６４ａ、６４ｂの鉄筋挿入孔４６に鉄筋４８を挿入する。次に、図１０（ｂ）に示すように、擁壁用根石ブロック６４ａ、６４ｂを基礎コンクリート５’上に載置する。これにより、擁壁用根石ブロック６４ａ、６４ｂは突出した鉄筋４８によって前方が上方向に傾いて配置される。このとき、鉄筋４８の突出量を最適化することで擁壁用根石ブロック６４ａ、６４ｂの上面の傾きθを、構築するブロック擁壁１０の擁壁面の傾斜角度と略同等とする。尚、擁壁用根石ブロック６４ａ、６４ｂは交互に組み合わせて配置するとともに、一方の擁壁用根石ブロック６４ａの斜面３６ａ、３６ｂと他方の擁壁用根石ブロック６４ｂの斜面３８ａ、３８ｂとの接触状態を構築するブロック擁壁１０に応じて変化させることで、横方向の長さ調整や曲面の形成を行うことができる。
【００２３】
次に、図１０（ｃ）に示すように、擁壁用根石ブロック６４ａ、６４ｂの空洞部４０の途中までコンクリートを流し込む。そして、このコンクリートを固化する。これにより基礎コンクリート５’と擁壁用根石ブロック６４ａ、６４ｂとを一体化する。次に、一体化した擁壁用根石ブロック６４ａ、６４ｂの上面に擁壁用ブロック１４ａ、１４ｂを所定の段数積み上げる。このとき、擁壁用根石ブロック６４ａ、６４ｂの上面は鉄筋４８の突出によってブロック擁壁１０の傾斜角度θ分傾いているため、この角度θ傾いた上面に擁壁用ブロック１４ａ、１４ｂを積み上げることで、上面が平らな基礎コンクリート５’を用いながら擁壁面が所定の角度傾いたブロック擁壁１０を構築することができる。次に、積載された擁壁用ブロック１４ａ、１４ｂの空洞部４０と擁壁用根石ブロック６４ａ、６４ｂの残りの空洞部４０とにコンクリートを流し込み固化する。これにより、擁壁用根石ブロック６４ａ、６４ｂと擁壁用ブロック１４ａ、１４ｂと基礎コンクリート５’とは一体化し、傾斜角度がθのブロック擁壁１０が構築される。
【００２４】
尚、本発明に係る擁壁用根石ブロック６０ａ、６０ｂ、６２、６４ａ、６４ｂの上面（擁壁用ブロックの積載面）は、細かな凹凸を有する滑り止め面で構成することが好ましい。この滑り止め面の形成は擁壁用ブロック１４ａ、１４ｂと同様に擁壁用根石ブロック６０ａ、６０ｂ、６２、６４ａ、６４ｂの上面を形成する型枠に、例えば細かな凹凸を有する梨地模様の鋼板等を用いて行うことが好ましい。これらの構成によれば、積載時の摩擦抵抗が増大し、より安定的に擁壁用ブロック１４ａ、１４ｂの積載を行うことができる。
【００２５】
以上のように、本考案に係る擁壁用根石ブロック６０ａ、６０ｂ、６２、６４ａ、６４ｂは、上面が平らな基礎コンクリート５’上に載置したときに上面がブロック擁壁１０の傾斜角度θ分傾く。そして、この角度θ傾いた擁壁用根石ブロックの上面に擁壁用ブロック１４ａ、１４ｂを積み上げることで、簡易な方法で且つ低コストで構築することが可能な上面の平らな基礎コンクリート５’を用いて、所定の傾斜角度のブロック擁壁１０を構築することができる。
【００２６】
また、ブロック擁壁１０の角度変化に際しては、適した寸法の擁壁用根石ブロック（第１の擁壁用根石ブロック６０ａ、６０ｂ、第２の擁壁用根石ブロック６２）を適宜選択することで対応が可能であり、積載する擁壁用ブロック１４ａ、１４ｂは共通のものを用いることができる。このため、型枠の導入コスト及び製品在庫の保管コスト等を抑制することができる。さらに、第３の擁壁用根石ブロック６４ａ、６４ｂは、従来の擁壁用ブロックの吊孔を鉄筋挿入孔４６として用いることで、従来の擁壁用ブロックを第３の擁壁用根石ブロック６４ａ、６４ｂとして使用することができる。このため、新規の型枠を必要とせず、さらなるコスト削減を図ることができる。
【００２７】
また、本考案に係る擁壁用ブロック１４ａ、１４ｂは、上面もしくは下面の少なくとも一方が細かな凹凸を有する滑り止め面で構成されるため、斜めに積載した状態でも滑りにくく、安定してブロック擁壁１０を構築することができる。
【００２８】
さらに、擁壁用根石ブロック６０ａ、６０ｂ、６２、６４ａ、６４ｂの上面を滑り止め面とすることで積載時の摩擦抵抗が増大し、より安定的に擁壁用ブロック１４ａ、１４ｂの積載とブロック擁壁１０の構築とを行うことができる。
【００２９】
尚、上記に示した擁壁用根石ブロック６０ａ、６０ｂ、６２、６４ａ、６４ｂ及び擁壁用ブロック１４ａ、１４ｂの各部の構成、形状、デザイン、寸法等は一例であるから、上記の例に限定されるわけでは無く、本考案は本考案の要旨を逸脱しない範囲で変更して実施することが可能である。また、本例では本考案に係る擁壁用根石ブロック６０ａ、６０ｂ、６２、６４ａ、６４ｂと本考案に係る擁壁用ブロック１４ａ、１４ｂとを組み合わせた例を説明しているが、擁壁用根石ブロック６０ａ、６０ｂ、６２、６４ａ、６４ｂと従来の他の擁壁用ブロックとを用いてブロック擁壁１０を構築しても良いし、従来の斜めの基礎コンクリート５に擁壁用ブロック１４ａ、１４ｂを積載してブロック擁壁１０を構築しても良い。
【符号の説明】
【００３０】
１０    ブロック擁壁
１４ａ  第１の擁壁用ブロック
１４ｂ  第２の擁壁用ブロック
３２    擁壁面
３４ａ  前方構造部
３４ｂ  背面構造部
３４ｃ  連結部
３６ａ、３６ｂ  斜面
３８ａ、３８ｂ  斜面
４４ａ  前側脚部
４４ｂ  背側脚部
４４ｃ  連結部
４６    鉄筋挿入孔
４８    鉄筋
６０ａ、６０ｂ  第１の擁壁用根石ブロック
６２            第２の擁壁用根石ブロック
６４ａ、６４ｂ  第３の擁壁用根石ブロック
【図１】
0003201484.tif 000003
【図２】
0003201484.tif 000004
【図３】
0003201484.tif 000005
【図４】
0003201484.tif 000006
【図５】
0003201484.tif 000007
【図６】
0003201484.tif 000008
【図７】
0003201484.tif 000009
【図８】
0003201484.tif 000010
【図９】
0003201484.tif 000011
【図１０】
0003201484.tif 000012
【図１１】
0003201484.tif 000013